【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
コンピュータ実行可能な命令を格納する少なくとも１つのコンピュータ読み取り可能な記憶媒体を備える装置であって、前記命令は、プロセッサにロードされて実行されると、前記プロセッサに、
メディアポータビリティ機能を起動する少なくとも１つのコマンドを受信させ、
変換のための入力として、ビデオメディアを含むソースメディアの少なくとも１つのインスタンスを受信させ、
少なくとも１つの宛先システムから通信され前記少なくとも１つの宛先システムの設定を表すデータに基づいて少なくとも１つのプロファイル設定を決定させ、前記少なくとも１つのプロファイル設定は、プレイバックのために前記少なくとも１つの宛先システムにおけるポータビリティを高めるために前記ソースメディアをどのように変換するか、及び前記変換されたメディアを前記少なくとも１つの宛先システムにおいてレンダリングする際に目標とする視覚的な質をどのように達成するかを規定し、
前記プロファイル設定に応答して前記ソースメディアを変換させ、
前記変換されたメディアを少なくとも１つのドキュメントに挿入させ、
変換のためにソースメディアの少なくとも第２のインスタンスを受信させ、
前記プロファイル設定に応答して前記ソースメディアの第２のインスタンスを変換させ、
前記変換されたソースメディアの第２のインスタンスを前記ドキュメントに挿入させ、
前記ドキュメントをプレイバックのために前記少なくとも１つの宛先システムへと配信させる、装置。
【請求項２】
前記ドキュメントに関連するアプリケーションを起動する少なくとも１のコマンドを受信する命令をさらに含む請求項１に記載の装置。
【請求項３】
前記ソースメディアに関連するアルファマスクを定義する命令をさらに含み、前記アルファマスクは、前記宛先システムが前記変換されたソースメディアをプレイバックする際に前記変換されたソースメディアとの組み合わせのための視覚的効果を規定する請求項１に記載の装置。
【請求項４】
前記アルファマスクを前記ドキュメントに挿入する命令をさらに含む請求項３に記載の装置。
【請求項５】
前記ソースメディアのドキュメントサイズに関係する前記変換されたメディアのドキュメントサイズを減少するように前記プロファイル設定を定義する命令をさらに含む請求項１に記載の装置。
【請求項６】
前記ソースファイルを前記宛先システムと互換性のある形式に変換するように前記プロファイル設定を定義する命令をさらに含む請求項１に記載の装置。
【請求項７】
前記宛先システムの実行能力に基づいて前記ソースメディアを符号化するための形式を選択する命令をさらに含む請求項１に記載の装置。
【請求項８】
前記プロファイル設定を取得するためにインタラクティブなユーザーインターフェースを提示する命令をさらに含む請求項１に記載の装置。
【請求項９】
複数の前記プロファイル設定を定義する命令をさらに含み、前記プロファイル設定は、前記宛先システムへの配信のために前記ソースメディアを前記変換されたメディアに変換することに関係する複数の異なる要因の間の異なるトレードオフを表す請求項１に記載の装置。
【請求項１０】
プレイバックのために少なくとも１つのさらなる宛先システムにおけるポータビリティを高めるために前記ソースメディアをどのように変換するかを規定するための少なくとも１つのさらなるプロファイル設定の指示を受信させ、
前記さらなるプロファイル設定に応答して前記ソースメディアを変換させ、
前記変換されたメディアを、前記ソフトウエアアプリケーションに関連する少なくとも１つの更なるドキュメントに挿入させ、
前記ドキュメントをプレイバックのために少なくとも前記さらなる宛先システムへと配信させる
命令をさらに含む請求項１に記載の装置。
【請求項１１】
第１のコンピューティングシステムにより提供されるメディアポータビリティ機能を起動する少なくとも１つのコマンドを受信するステップと、
前記第１のコンピューティングシステムにおける変換のための入力として、ソースメディアの少なくとも１つのインスタンスを受信するステップと、
少なくとも１つの宛先システムから通信され前記少なくとも１つの宛先システムの設定を表すデータに基づいて少なくとも１つのプロファイル設定を決定するステップであって、前記少なくとも１つのプロファイル設定は、プレイバックのために前記少なくとも１つの宛先コンピューティングシステムにおいて目標とする視覚的な質を達成するために視覚的メディアを含む前記ソースメディアをどのように変換するかを規定する、ステップと、
前記プロファイル設定に応答して前記ソースメディアを変換するステップと、
前記変換されたメディアを少なくとも１つのドキュメントに挿入するステップと、
前記ドキュメントをプレイバックのために前記少なくとも１つの宛先システムへと配信するステップと
を含むコンピュータにより実施される方法。
【請求項１２】
コンピュータ実行可能な命令を格納する少なくとも１つのコンピュータ読み取り可能な記憶媒体を備える装置であって、前記命令は、プロセッサにロードされて実行されると、前記プロセッサに、
メディアポータビリティ機能が統合されるソフトウェアアプリケーションにより提供される前記メディアポータビリティ機能を起動する少なくとも１つのコマンドを受信させ、
複数の宛先システムと互換性のあるポータブルメディアへの変換のための入力として、ソースメディアの少なくとも１つのインスタンスを受信させ、
前記宛先システムから通信され前記宛先システムの設定を表すデータに基づいて複数のプロファイル設定を決定させ、前記プロファイル設定は、前記宛先システムへの配信のために前記ソースメディアを前記ポータブルメディアに変換することに関係する複数の異なる要因の間の異なるトレードオフを表し、
前記宛先システムの少なくとも１つにおいてプレイバックされる際のポータビリティ及び互換性を高めるためにビデオメディアを含む前記ソースメディアをどのように変換するかを規定する、前記複数のプロファイル設定からの前記プロファイル設定のうちの１つの選択を受信させ、
前記選択されたプロファイル設定に応答して、前記ソースメディアを前記ポータブルメディアへと変換させ、
前記変換されたメディアを前記ソフトウェアアプリケーションに関連する少なくとも１つのドキュメントに挿入させ、
変換のためにソースメディアの少なくとも第２のインスタンスを受信させ、
前記プロファイル設定に応答して前記ソースメディアの第２のインスタンスを変換させ、
前記変換されたソースメディアの第２のインスタンスを前記ドキュメントに挿入させ、
前記ドキュメントをプレイバックのために少なくとも前記宛先システムへと配信させる、装置。
【請求項１３】
プレイバックのために少なくとも１つのさらなる宛先システムにおけるポータビリティを高めるために前記ソースメディアをどのように変換するかを規定するための少なくとも１つのさらなるプロファイル設定の指示を受信させ、
前記さらなるプロファイル設定に応答して前記ソースメディアを変換させ、
前記変換されたメディアを、前記ソフトウエアアプリケーションに関連する少なくとも１つのさらなるドキュメントに挿入させ、
前記ドキュメントをプレイバックのために少なくとも前記さらなる宛先システムへと配信させる
命令をさらに含む請求項１２に記載の装置。